(57)【要約】【課題】籐製の籠に図柄若しくは文字などの装飾が短時間で安価に製造でき、また籐の素材の風合いを損なうことなく、しかも図柄が美しく再現される籠の装飾方法を提供する。【解決手段】図柄若しくは文字が描出された紙材を、前記図柄若しくは文字とほぼ同等の形状に切り抜き、この切抜き片を網目凹凸形状を有する籠体表面に接着剤を含浸させた状態で押圧貼付することを特徴とし、しかも前記接着剤は、紙材の主成分であるセルロースと同等の屈折率を有することを特徴とする。【選択図】        図１
2005035303.tif 000002
【特許請求の範囲】
【請求項１】
図柄若しくは文字が描出された紙材を、前記図柄若しくは文字とほぼ同等の形状に切り抜き、この切抜き片を網目凹凸形状を有する籠体表面に接着剤を含浸させた状態で押圧貼付することを特徴とする籠の装飾方法。
【請求項２】
前記接着剤は、紙材の主成分であるセルロースと同等の屈折率を有することを特徴とする請求項１記載の籠の装飾方法。
【発明の詳細な説明】
【技術分野】
【０００１】
本発明は、籠の表面の装飾方法に関し、とくに籐製籠の装飾方法に関するものである。
【背景技術】
【０００２】
従来より、室内で使用される家具や調度品として、籐を使用した製品が数多く普及している。籐を編んで作られた製品は、洋室、和室を問わず室内のインテリアとして高い評価をされ、長期間にわたり使用されるのが普通である。ところが、籐の製品のほとんどが職人による手仕事で作られ、装飾の少ないシンプルなものが殆どであり、図柄などの入った商品を要望しても製造に長時間を必要とし、しかも一品生産のため非常に高価なものとなった。
【０００３】
これらの問題点を解決するために、被装飾体の表面に描画される図柄を、トナーを用いた印字機によって転写シート上に記録しておき、前記被装飾体の描画領域に定着剤を塗布した後に、この定着剤を覆って白色塗料を塗布し、この白色塗料の表面に、前記転写シートの印字面を面接触させることにより、この転写シート上に記録された図柄を前記白色塗料に接触させ、ついで、前記転写シートに熱を加えることにより、前記図柄を形成するトナーを白色塗料上に熱溶着させ、ついで前記転写シートを除去した後に、前記図柄を覆って透明塗料を塗布する装飾方法が提案されている（特許文献１参照。）。
【特許文献１】特願平１１−１０８５８６号公報
【発明の開示】
【発明が解決しようとする課題】
【０００４】
しかしながら、上記特許文献１に提案されている装飾方法の場合、予め被装飾体の表面に定着剤や白色塗料を塗布しておく必要があるため、被装飾体本来の風合いが損なわれるという問題点がある。また転写シートに記録された絵柄を、熱によって被装飾体の表面に溶着させる方法であるため、被装飾体の表面が籐製の籠のような表面が網目凹凸形状の場合、熱溶着された図柄が部分的に切断され、図柄が美しく再現されないという問題点もあった。
【０００５】
本発明は、上記の問題点に鑑みなされたもので、籐製の籠に図柄などの装飾を短時間でしかも安価に製造できる方法を提供し、しかも、籐の素材の風合いを損なうことなく、図柄が美しく再現される籠の装飾方法を提供することを目的とする。
【課題を解決するための手段】
【０００６】
このため本発明では、図柄若しくは文字が描出された紙材を、前記図柄若しくは文字とほぼ同等の形状に切り抜き、この切抜き片を網目凹凸形状を有する籠体表面に接着剤を含浸させた状態で押圧貼付することを第１の特徴とする。
【０００７】
また、前記接着剤は、紙材の主成分であるセルロースと同等の屈折率を有することを第２の特徴とする。
【発明の効果】
【０００８】
本発明に係る籠の装飾方法によれば、図柄若しくは文字が描出された紙材を、前記図柄若しくは文字とほぼ同等の形状に切り抜き、前記籠に図柄を装飾する素材として使用するため、職人技術を必要とせず短時間で大量に作成でき安価であるという優れた効果を有する。
【０００９】
また、前記図柄若しくは文字とほぼ同等の形状に切り抜かれた紙材を網目凹凸形状を有する籠体表面に接着剤を含浸させた状態で押圧貼付するため、前記図柄若しくは文字が網目凹凸形状に沿って形成され、しかも図柄若しくは文字が部分的に切れることもなく美しく再現できるという優れた効果を有する。
【００１０】
さらに、前記接着剤は、紙材の主成分であるセルロースと同等の屈折率を有するため、前記接着剤を含浸された紙材が透明化し籠体の素材が前記紙材を透して見えるため、素材の風合いを損なうことがないという優れた効果を有する。
【発明を実施するための最良の形態】
【００１１】
以下、本発明を実施するための最良の形態を図面に示す実施例に基づいて説明するが、本発明が本実施例に限定されないことは言うまでもない。図１は本発明に係る籠の装飾方法に使用する紙材の説明図、図２は本発明に係る籠の装飾方法の一実施例を示す模式説明図である。図３は本発明に係る籠の装飾方法で作成された籐製籠の一実施例を示す斜視図である。
【実施例】
【００１２】
図１（ａ）は本発明に使用する紙材１の斜視図を示し、図１（ｂ）は図１（ａ）のＡ−Ａ線に沿う断面図を示している。紙材１は、薄紙等が使用され主な成分としてセルロースが使われている。紙材１の片面もしくは両面に所定の図柄２が印刷等により形成される。使用する薄紙としてはペーパータオルなどの柔らかく可撓性のあるものが望ましく、後述する籐などの網目凹凸形状に沿って貼り付けやすいものが使用される。図柄２の印刷方法としては、ベタ濃度の高いシルクスクリーン印刷やグラビア印刷等が望ましい。
【００１３】
次に、図２により本発明に係る籠の装飾方法の一実施例について説明する。図２（ａ）は籐３で編み上げられた籠体の部分断面を示す模式説明図であり、籐３により網目凹凸形状が形成された状態を示している。図２（ｂ）は図２（ａ）の籠体に紙材１を貼着した状態を示す模式説明図であり、図に示すように図柄２よりやや大きめの形状に切り抜かれた紙材１を籐３からなる編目凹凸形状の籠体表面に接着剤（図示せず）により貼付した状態を示している。図２（ｃ）は図２（ｂ）の紙材１に接着剤４を刷毛（図示せず）により含浸させ、押圧し、貼付する状態を示している。この装飾方法により紙材１は籐３からなる籠体の網目凹凸形状に沿って押圧され、貼付されるため、紙材１に形成された図柄２が籠体の網目凹凸形状によって部分的に切れることもなく美しく再現できる。しかも紙材１の主成分であるセルロースの屈折率１．５３〜１．５５と同等の屈折率を有する接着剤４を紙材１の全面に含浸させ、紙材１を透明化させることによって籐３の素材が紙材１を透して見えるため、籐３の素材の風合いを損なうことがない。しかも接着剤４によって図柄２の表面がコートされ、図柄の傷を防止できる。
【００１４】
図３は、本発明に係る籠の装飾方法で作成された籐製籠の一実施例を示す斜視図を示しており、籐製籠５の表面に図２で貼付された紙材１の図柄２が籐の素材の風合いを損なうことなくまた、図柄２が籐製籠５の表面凹凸形状で切断されることなく再現されている。尚、本実施例においては図柄２が形成された紙材１を一枚づつ貼付して使用しているが、複数枚貼り重ねてもよく、図柄により適宜選択される。
【００１５】
以上、本発明による籠の装飾方法によれば、籐製の籠に図柄などの装飾を短時間でしかも安価に製造できる方法を提供し、しかも、籐の素材の風合いを損なうことなく、図柄が美しく再現できる。
【図面の簡単な説明】
【００１６】
【図１】本発明に係る籠の装飾方法に使用する基材の説明図である。
【図２】本発明に係る籠の装飾方法の一実施例を示す説明図である。
【図３】本発明に係る籠のの一実施例を示す説明図である。
【符号の説明】
【００１７】
１          紙材
２          図柄
３          籐
４          接着剤
５          籐製籠
【図１】
2005035303.tif 000003
【図２】
2005035303.tif 000004
【図３】
2005035303.tif 000005